(57)【要約】【課題】ボタンを押下しやすくすることが可能な表示パネルを提供すること。【解決手段】表示パネル５０は、画像表示領域８１を備えるＬＣＤ７２と、タッチパネル反応領域８２を備えるタッチパネル７５と、画像表示領域８１よりも大きい開口部８３を有するＬＣＤ上側カバー７７を備える。タッチパネル反応領域８２は画像表示領域８１よりも大面積とされる。開口部８３の内縁と画像表示領域８１の外周部との間には、余白領域１３が存在する。画像表示領域８１に表示されるボタン表示領域に対応して、タッチパネル反応領域にはボタン反応領域ＲＲが存在する。ＣＰＵ１４は、押下座標が余白領域１３の領域内の場合に、その押下座標に基づいて、ボタン反応領域ＲＲに対応する処理のうち何れかの処理を選択し、選択した処理を実行する。【選択図】図５
2011070544.tif 000002
【特許請求の範囲】
【請求項１】
文字や画像等を表示する画像表示領域を備える画像表示部と、
前記画像表示領域よりも大面積を有し、押下された押下位置を検出可能なタッチパネル反応領域を備えるタッチパネルと、
前記画像表示領域よりも大きい開口部を有し、前記画像表示部の上に前記タッチパネルを配設した状態で前記開口部から前記画像表示領域が見えるように前記画像表示部と前記タッチパネルとを固定するカバー体と、
前記開口部の内縁と前記画像表示領域の外周部との間の領域であり、前記画像表示領域が存在せずに前記タッチパネル反応領域が存在する余白領域と、
前記画像表示部に表示されるボタン表示領域に対応して、前記ボタン表示領域に重なるように前記タッチパネル反応領域に存在するボタン反応領域と、
前記押下位置の押下座標を取得する座標取得手段と、
前記座標取得手段が取得した前記押下座標が何れかの前記ボタン反応領域の領域内の場合に、そのボタン反応領域に対応する処理を実行する第１処理実行手段と、
前記座標取得手段が取得した前記押下座標が前記余白領域の領域内の場合に、その前記押下座標に基づいて、前記ボタン反応領域に対応する処理のうち、何れかの処理を選択する処理選択手段と、
前記処理選択手段が選択した処理を実行する第２処理実行手段と、
を備えることを特徴とする処理実行装置。
【請求項２】
前記押下座標が前記画像表示領域の領域外に位置する場合には、前記押下座標を前記画像表示領域内の座標に変換する変換処理を行う変換手段を備え、
前記処理選択手段は、前記変換処理後の座標が、何れかの前記ボタン反応領域の領域内である場合に、そのボタン反応領域に対応する処理を選択する
ことを特徴とする請求項１に記載の処理実行装置。
【請求項３】
前記画像表示領域および前記タッチパネル反応領域は水平方向および垂直方向が共通する座標軸を有し、
前記画像表示領域は水平方向最小値、垂直方向最小値、水平方向最大値、垂直方向最大値を含む矩形形状として定義され、
前記押下座標は水平方向押下座標および垂直方向押下座標として定義され、
前記変換手段は、
前記水平方向押下座標が前記水平方向最小値より小さい場合には前記水平方向最小値を前記水平方向押下座標とし、
前記水平方向押下座標が水平方向最大値より大きい場合には前記水平方向最大値を前記水平方向押下座標とし、
前記垂直方向押下座標が前記垂直方向最小値より小さい場合には前記垂直方向最小値を前記垂直方向押下座標とし、
前記垂直方向押下座標が垂直方向最大値より大きい場合には前記垂直方向最大値を前記垂直方向押下座標とする
ことを特徴とする請求項２に記載の処理実行装置。
【請求項４】
前記処理選択手段は、
前記座標取得手段が取得した前記押下座標が、前記画像表示領域の水平方向の外周部を含む前記ボタン表示領域と前記外周部を挟んで前記水平方向に対向する前記余白領域である余白ボタン反応領域の領域内の座標である場合に、そのボタン反応領域に対応する処理を選択し、
前記座標取得手段が取得した押下座標が、前記画像表示領域の垂直方向の外周部を含む前記ボタン表示領域と前記外周部を挟んで前記垂直方向に対向する前記余白領域である余白ボタン反応領域の領域内の座標である場合に、そのボタン反応領域に対応する処理を選択する
ことを特徴とする請求項１ないし請求項３の何れかに記載の処理実行装置。
【請求項５】
前記処理選択手段は、
前記座標取得手段が取得した前記押下座標が、前記画像表示領域の水平方向の外周部を含む前記ボタン表示領域を形成する辺のうちの前記水平方向に伸びる辺を前記余白領域へはみ出るように伸ばした形状の領域であり、前記余白領域に存在する領域である余白ボタン反応領域の領域内の座標である場合に、そのボタン反応領域に対応する処理を選択し、
前記座標取得手段が取得した押下座標が、前記画像表示領域の垂直方向の外周部を含む前記ボタン表示領域を形成する辺のうちの前記垂直方向に伸びる辺を前記余白領域へはみ出るように伸ばした形状の領域であり、前記余白領域に存在する領域である余白ボタン反応領域の領域内の座標である場合に、そのボタン反応領域に対応する処理を選択する
ことを特徴とする請求項１ないし請求項３の何れかに記載の処理実行装置。
【請求項６】
前記ボタン表示領域は水平方向ボタン座標および垂直方向ボタン座標によって定義され、
前記画像表示領域の前記水平方向の外周部を含む前記ボタン表示領域に対応する前記余白ボタン反応領域は、前記垂直方向ボタン座標の前記垂直方向の上方側最大値を前記垂直方向側へ超えた座標と前記水平方向ボタン座標とで定義される
ことを特徴とする請求項４または請求項５に記載の処理実行装置。
【請求項７】
前記余白ボタン反応領域は、
前記画像表示領域から遠ざかるにつれて前記余白ボタン反応領域の幅が小さくなる形状である
ことを特徴とする請求項４または請求項５に記載の処理実行装置。
【請求項８】
前記画像表示領域の前記水平方向側に存在する前記余白ボタン反応領域の前記水平方向の幅と、前記画像表示領域の前記垂直方向側に存在する前記余白ボタン反応領域の前記垂直方向の幅とが同程度とされる
ことを特徴とする請求項４ないし請求項７の何れかに記載の処理実行装置。
【発明の詳細な説明】
【技術分野】
【０００１】
本発明は、ボタンを押下しやすくすることが可能な処理実行装置に関するものである。
【背景技術】
【０００２】
開口部を備えるカバー体を用いて、画像表示部の上にタッチパネルを配設した状態で、開口部から画像表示領域が見えるように両者を固定したタッチパネル装置が知られている。また特許文献１には、画像表示領域の端部に表示されたボタンの反応領域を、開口部と反対方向に拡げるタッチパネル装置が開示されている。
【先行技術文献】
【特許文献】
【０００３】
【特許文献１】特開２００８−１２９８２３号公報
【発明の概要】
【発明が解決しようとする課題】
【０００４】
特許文献１のタッチパネル装置では、画像表示領域の端部に表示されたボタンの１つ内側のボタンを押下しようとする場合に、画像表示領域の端部に表示されたボタンが反応してしまう場合が存在する。本明細書では、このような不便性を解消することができる技術を提供する。
【課題を解決するための手段】
【０００５】
本目的を達成するために、本発明の処理実行装置は、文字や画像等を表示する画像表示領域を備える画像表示部と、画像表示領域よりも大面積を有し、押下された押下位置を検出可能なタッチパネル反応領域を備えるタッチパネルと、画像表示領域よりも大きい開口部を有し、画像表示部の上にタッチパネルを配設した状態で開口部から画像表示領域が見えるように画像表示部とタッチパネルとを固定するカバー体と、開口部の内縁と画像表示領域の外周部との間の領域であり、画像表示領域が存在せずにタッチパネル反応領域が存在する余白領域と、画像表示部に表示されるボタン表示領域に対応して、ボタン表示領域に重なるようにタッチパネル反応領域に存在するボタン反応領域と、押下位置の押下座標を取得する座標取得手段と、座標取得手段が取得した押下座標が何れかのボタン反応領域の領域内の場合に、そのボタン反応領域に対応する処理を実行する第１処理実行手段と、座標取得手段が取得した押下座標が余白領域の領域内の場合に、その押下座標に基づいて、ボタン反応領域に対応する処理のうち、何れかの処理を選択する処理選択手段と、処理選択手段が選択した処理を実行する第２処理実行手段と、を備えることを特徴とする。
【発明の効果】
【０００６】
カバー体の開口部によって、画像表示領域の周囲には、画像表示領域の表示面に対する段差が形成される。すると、開口部の近傍に表示されるボタン表示領域をユーザが押下しようとする場合には、開口部に指先等が当たらないように意識する必要があり、ユーザの利便性を損ねていた。そこで請求項１記載の処理実行装置によれば、タッチパネルのタッチパネル反応領域の大きさよりも、画像表示部の画像表示領域の大きさが小さくされることで、画像表示領域ではないがタッチパネル反応領域である余白領域が存在する。また、画像表示部にボタン表示領域が表示される。また、ボタン表示領域に重なるように、タッチパネル反応領域にボタン反応領域が存在する。そして、座標取得手段によって取得された押下座標が、何れかのボタン反応領域の領域内の場合には、そのボタン反応領域に対応する処理が実行される。また、座標取得手段によって取得された押下座標が、余白領域の領域内の場合には、ボタン反応領域に対応する処理のうち、何れかの処理が選択された上で、選択された処理が実行される。これにより、画像表示領域の端部に表示されるボタン表示領域については、ボタン反応領域を画像表示領域外まで確保することができる。よって、開口部の近傍に表示されるボタン表示領域を押下しやすくすることができ、ユーザの利便性を高めることができる。
【０００７】
請求項２記載の処理実行装置によれば、押下座標が画像表示領域の領域外に位置する場合には、押下座標を画像表示領域の座標に変換する変換処理が行われる。そして、変換処理後の座標が、何れかのボタン反応領域の領域内である場合に、そのボタン反応領域に対応する処理が選択される。これにより、画像表示領域の端部に表示されるボタン表示領域については、ボタン反応領域を画像表示領域外まで確保することができるため、ユーザの利便性を高めることができる。
【０００８】
請求項３記載の処理実行装置によれば、押下座標の水平方向押下座標および垂直方向押下座標の値が、画像表示領域を定義する値（水平方向最小値、垂直方向最小値、水平方向最大値、垂直方向最大値）を超える場合には、画像表示領域内の座標に変換される。これにより、画像表示領域の端部に表示されるボタン表示領域については、ボタン反応領域を画像表示領域外まで確保することができる。
【０００９】
請求項４記載の処理実行装置によれば、画像表示領域の水平方向の外周部を含むボタン表示領域（すなわち、画像表示領域の水平方向の端部近傍に表示されるボタン表示領域）には、ボタン表示領域と外周部を挟んで水平方向に対向する余白領域に、余白ボタン反応領域が存在する。また同様にして、画像表示領域の垂直方向の外周部を含むボタン表示領域には、ボタン表示領域と外周部を挟んで垂直方向に対向する余白領域に、余白ボタン反応領域が存在する。そして、押下座標が余白ボタン反応領域の領域内の座標である場合に、そのボタン反応領域に対応する処理が選択される。これにより、ユーザの利便性を高めることができる。また、ボタン表示領域の最大幅を、余白ボタン反応領域へ投影することができる。よって、丸型のボタン等の矩形形状以外のボタン表示領域についても、ボタン反応領域を画像表示領域外まで適切に確保することが可能となる。
【００１０】
請求項５記載の処理実行装置によれば、画像表示領域の水平方向の外周部を含むボタン表示領域（すなわち、画像表示領域の水平方向の端部近傍に表示されるボタン表示領域）の近傍には、ボタン表示領域を形成する辺のうちの水平方向に伸びる辺を余白領域へはみ出るように伸ばした形状の領域である余白ボタン反応領域が、余白領域に存在する。また同様にして、画像表示領域の垂直方向の外周部を含むボタン表示領域の近傍には、ボタン表示領域を形成する辺のうちの垂直方向に伸びる辺を余白領域へはみ出るように伸ばした形状の領域である余白ボタン反応領域が、余白領域に存在する。そして、押下座標が余白ボタン反応領域の領域内の座標である場合に、そのボタン反応領域に対応する処理が選択される。これにより、ユーザの利便性を高めることができる。また、ボタン表示領域を形成する辺が伸張する方向に沿って、ボタン表示領域を余白ボタン反応領域へ投影することができる。よって、平行四辺形形状のボタン等の矩形形状以外のボタン表示領域についても、ボタン反応領域を画像表示領域外まで適切に確保することが可能となる。
【００１１】
請求項６記載の処理実行装置によれば、画像表示領域の水平方向の端部近傍にボタン表示領域が表示される場合には、ボタン表示領域の水平方向投影部に余白ボタン反応領域が存在するのみならず、さらに垂直方向上方側にも広げて余白ボタン反応領域が存在する。すなわち、水平方向の端部近傍に位置するボタン表示領域のボタン反応領域を、斜め上方に伸ばすように定義することができる。ユーザがボタン表示領域を押下する際には、指が垂直方向上方を向いているため、垂直方向上方への力が生じ、ボタン表示領域の垂直方向上方領域が押下される場合がある。よって、余白ボタン反応領域を垂直方向上方側に拡大することにより、ボタン表示領域をより押下しやすくすることができ、ユーザの利便性を高めることが可能となる。
【００１２】
請求項７記載の処理実行装置によれば、余白ボタン反応領域は、画像表示領域から遠ざかるにつれて余白ボタン反応領域の幅が小さくなる形状とされる。これにより、余白ボタン反応領域をすぼめながら伸ばすように定義することができるため、隣接するボタン表示領域の各々が有する余白ボタン反応領域が互いに干渉することを防止できる。よって、ボタン表示領域が近接している場合、誤って隣接するボタン表示領域を押下してしまう事態を防止することができるため、ユーザの利便性を高めることが可能となる。
【００１３】
請求項８記載の処理実行装置によれば、画像表示領域の水平方向側に存在する余白ボタン反応領域の水平方向の幅と、画像表示領域の垂直方向側に存在する余白ボタン反応領域の垂直方向の幅とが同程度とされる。これにより、余白領域の幅が水平方向および垂直方向で異なる場合においても、余白ボタン反応領域の幅を同程度とすることができる。よって、画像表示領域の垂直方向の端部に表示されるボタン表示領域と、画像表示領域の水平方向の端部に表示されるボタン表示領域とで、ボタン反応領域の広さを同程度に揃えることができるため、ユーザは画像表示領域の端部に表示されるボタンを全て同様に扱うことができ、ユーザの利便性を高めることが可能となる。
【図面の簡単な説明】
【００１４】
【図１】多機能機１０の外観図および構成図である。
【図２】表示パネル５０の構成図である。
【図３】表示パネル５０の上面図である。
【図４】表示パネル５０のｘ方向の部分断面図である。
【図５】画像表示領域８１およびタッチパネル反応領域８２の上面図である。
【図６】表示パネル５０の動作を示すフローチャートである。
【図７】第２実施形態の説明図である。
【図８】第３実施形態の説明図である。
【図９】第４実施形態の説明図である。
【図１０】第５実施形態の説明図（その１）である。
【図１１】第５実施形態の説明図（その２）である。
【図１２】第６実施形態の説明図である。
【図１３】第７実施形態の説明図である。
【図１４】拡大ボタン反応領域の変形例である。
【図１５】第８実施形態の説明図である。
【発明を実施するための形態】
【００１５】
図面を参照して実施例を説明する。図１に、多機能機１０の外観図および構成図を示す。多機能機１０は、プリンタ機能、スキャナ機能、コピー機能、ファクシミリ機能、電話機能などを有する。図１に示すように、多機能機１０の上面正面側には、表示パネル５０が設けられている。表示パネル５０はタッチパネルであり、ユーザがタッチした位置の座標を検出することができるパネルである。表示パネル５０には、例えば、メニューボタン、電話帳ボタン、履歴ボタンなどの各種のタッチパネルボタンが表示される。
【００１６】
図１の構成図を説明する。多機能機１０は、制御部１２、表示パネル５０、ハードキー５２、印刷部５４、スキャン部５６、ＦＡＸ部５８、ネットワークインターフェイス６０、等を備える。制御部１２は、ＣＰＵ１４、ＲＯＭ１６、ＲＡＭ３０、ＮＶＲＡＭ４０、等を有する。
【００１７】
ＣＰＵ１４は、ＲＯＭ１６に記憶されているプログラムに従って様々な処理を実行する。ＣＰＵ１４が実行する処理については、後で詳しく説明する。ＲＯＭ１６は、多機能機１０の基本的な動作を制御するための基本機能プログラム１８を記憶している。基本機能プログラム１８は、例えば、表示パネル５０に表示される表示データを生成するためや、ボタン反応領域に対応する処理を実行するために用いられる。
【００１８】
ＲＡＭ３０は、揮発性のメモリであり、基本機能プログラム１８に従って処理が実行される過程で生成される各種データを記憶するための記憶領域である。ＮＶＲＡＭ４０は、不揮発性のメモリであり、ＣＰＵ１４が基本機能プログラム１８に従って処理を実行する際に利用される各種パラメータや、ボタンテーブルを記憶するための記憶領域である。ボタンテーブルは、表示パネル５０に表示される各種のボタンの各々について、ボタン反応領域の座標と、ボタン反応領域に割り振られている処理内容との対応を記憶したテーブルである。処理内容の一例としては、メニュー表示や電話帳表示などが挙げられる。
【００１９】
ネットワークインターフェイス６０は、ＬＡＮ回線に接続されている。多機能機１０は、外部に接続されたパーソナルコンピュータと通信可能であるとともに、インターネットにアクセス可能とされる。
【００２０】
次に、図２を用いて、表示パネル５０の構成について説明する。表示パネル５０は、ＬＣＤ下側カバー７１、ＬＣＤ（Liquid Crystal Display）７２、プレート７３、フレームシート７４、タッチパネル７５、ダストフォーム７６、ＬＣＤ上側カバー７７を備える。
【００２１】
ＬＣＤ７２は、周知の液晶ディスプレイである。ＬＣＤ７２は、文字や図形、記号などが表示される画像表示領域８１を備える。ＬＣＤ７２は、ＬＣＤ下側カバー７１の略中央に固定される。プレート７３は、金属で構成される板状の部材であり、静電気除去の役割を有する。フレームシート７４は、ディスプレイ２２の画像表示領域８１の縁部を隠すためのシートである。
【００２２】
タッチパネル７５は、ＬＣＤ下側カバー７１およびＬＣＤ上側カバー７７の嵌め込み領域と略一致する大きさに形成され、ＬＣＤ７２を覆うように配置される。タッチパネル７５は、ユーザによって押下された押下位置を検出可能なタッチパネル反応領域８２を備える。タッチパネル７５は透明であるため、ユーザはＬＣＤ７２の画像表示領域８１に表示される内容を、タッチパネル７５を介して視認可能とされる。タッチパネル７５には、例えば抵抗膜方式のタッチパネルが用いられる。抵抗膜方式のタッチパネルについては、一般的であるため、ここでは詳細な説明は省略する。
【００２３】
ダストフォーム７６は、スポンジ状の部材であり、ＬＣＤ上側カバー７７とタッチパネル７５との密着性を保ち、ごみ等の侵入を防ぐ役割を有する。ＬＣＤ上側カバー７７は、画像表示領域８１を視認可能な開口部８３を備える。開口部８３の大きさは、画像表示領域８１よりも大きくされる。
【００２４】
そして、上述したＬＣＤ下側カバー７１、ＬＣＤ７２、プレート７３、フレームシート７４、タッチパネル７５、ダストフォーム７６、ＬＣＤ上側カバー７７を順番に重ね合わせて固定することにより、表示パネル５０が形成される。表示パネル５０では、ＬＣＤ上側カバー７７の開口部８３から、画像表示領域８１およびタッチパネル反応領域８２が視認できる状態とされる。
【００２５】
図３および図４を用いて、画像表示領域８１、タッチパネル反応領域８２、開口部８３の位置関係を説明する。図３に、表示パネル５０の上面図を示す。また図４に、表示パネル５０のｘ方向の部分断面図を示す。画像表示領域８１は、画像表示領域ｘ方向長さＬＡｘおよび画像表示領域ｙ方向長さＬＡｙを有する。タッチパネル反応領域８２は、タッチパネル反応領域ｘ方向長さＴＡｘおよびタッチパネル反応領域ｙ方向長さＴＡｙを有する。開口部８３は、開口部ｘ方向長さＡＰｘおよび開口部ｙ方向長さＡＰｙを有する。タッチパネル反応領域ｘ方向長さＴＡｘおよび開口部ｘ方向長さＡＰｘは、画像表示領域ｘ方向長さＬＡｘよりも大きくされる。また、タッチパネル反応領域ｙ方向長さＴＡｙおよび開口部ｙ方向長さＡＰｙは、画像表示領域ｙ方向長さＬＡｙよりも大きくされる。よって、開口部８３の内縁部と画像表示領域８１の外周部との間には、画像表示領域８１が存在しない余白領域１３（図３、斜線部）が形成される。また、開口部８３によって、画像表示領域８１の周囲には、画像表示領域８１の表示面に対する段差が形成される。
【００２６】
画像表示領域８１に表示されるボタンについて説明する。図５に、画像表示領域８１およびタッチパネル反応領域８２の上面図を示す。画像表示領域８１およびタッチパネル反応領域８２は、共通する座標軸を有する。本実施形態の説明例では、タッチパネル反応領域８２の左上隅部が原点（０、０）とされ、ｘ座標（水平方向）は０からＮまでとされ、ｙ座標（垂直方向）は０からＭまでとされる場合を説明する。画像表示領域８１は、対角線上の角部に位置する第１点Ｐ１（Ｐ１ｘ、Ｐ１ｙ）および第２点Ｐ２（Ｐ２ｘ、Ｐ２ｙ）を含んだ矩形形状として定義される。第１点Ｐ１のｘ座標Ｐ１ｘは、ｘ方向最小値である。第１点Ｐ１のｙ座標Ｐ１ｙは、ｙ方向最小値である。第２点Ｐ２のｘ座標Ｐ２ｘは、ｘ方向最大値である。第２点Ｐ２のｙ座標Ｐ２ｙは、ｙ方向最大値である。本実施形態の説明例では、第１点Ｐ１の座標（Ｐ１ｘ、Ｐ１ｙ）＝（２、２）、第２点Ｐ２の座標（Ｐ２ｘ、Ｐ２ｙ）＝（Ｎ−２、Ｍ−２）の場合を説明する。
【００２７】
ＬＣＤ７２の画像表示領域８１には、各種のボタンが表示される。表示されるボタンが占める領域を、ボタン表示領域ＢＲと定義する。また、ボタン表示領域ＢＲに対応するボタン反応領域ＲＲが、タッチパネル反応領域８２に存在する。ボタン反応領域ＲＲは、ボタン表示領域ＢＲに重なるように、ボタン表示領域ＢＲと略同一の大きさで存在する（図５、点線部）。そして、ボタン反応領域ＲＲは、対角線上の角部に位置する第１点ＢＰ１と第２点ＢＰ２を含んだ矩形形状として定義される。本実施形態の説明例では、第１点ＢＰ１の座標が（Ｎ−６、２）、第２点ＢＰ２の座標が（Ｎ−２、５）の場合を説明する。
【００２８】
また、ボタン表示領域ＢＲに対応して、余白ボタン反応領域ＳＲＲ（図５、斜線部分）が、余白領域１３に存在する。余白ボタン反応領域ＳＲＲについては後述する。そして、ボタン反応領域ＲＲと余白ボタン反応領域ＳＲＲとを合わせた領域が、拡大ボタン反応領域ＥＲＲとされる。また、タッチパネル反応領域８２内の押下点については、押下座標（Ｄｘ、Ｄｙ）が取得される。
【００２９】
本実施形態の表示パネル５０の動作について、図６のフローチャートを用いて説明する。Ｓ１１において、ＣＰＵ１４は、画像表示領域８１の初期化を行う。初期化では、キャリブレーション等により、画像表示領域８１の第１点Ｐ１と第２点Ｐ２の座標を明確にする処理が行われる。
【００３０】
Ｓ１３において、ＣＰＵ１４は、画像表示領域８１の座標取得を完了する。本実施形態の説明例では、図５に示すように、画像表示領域８１の第１点Ｐ１の座標（Ｐ１ｘ、Ｐ１ｙ）＝（２、２）と、第２点Ｐ２の座標（Ｐ２ｘ、Ｐ２ｙ）＝（Ｎ−２、Ｍ−２）が取得され、ＲＡＭ３０に記憶される。
【００３１】
Ｓ１５において、ＣＰＵ１４は、タッチパネル７５のタッチパネル反応領域８２がユーザによって押下されたか否かを判断する。押下されていないと判断される場合（Ｓ１５：ＮＯ）には、Ｓ１５へ戻り待機状態とされる。そして、押下されたと判断される場合（Ｓ１５：ＹＥＳ）には、Ｓ１７へ進む。Ｓ１７において、ＣＰＵ１４は、ユーザによって押下された押下点の押下座標（Ｄｘ、Ｄｙ）を取得し、ＲＡＭ３０に記憶する。
【００３２】
Ｓ２１においてＣＰＵ１４は、押下点のｘ座標Ｄｘが、第１点Ｐ１のｘ座標Ｐ１ｘよりも小さいか否かを判断する。ｘ座標Ｄｘがｘ座標Ｐ１ｘよりも小さいと判断される場合（Ｓ２１：ＹＥＳ）には、押下点が余白領域１３内に位置する場合であると判断され、Ｓ２３へ進む。Ｓ２３において、ＣＰＵ１４は、ｘ座標Ｄｘ＝ｘ座標Ｐ１ｘとする処理を行う。これにより、押下点のｘ座標Ｄｘを画像表示領域８１内の座標に変換する変換処理が行われる。そしてＳ３１へ進む。一方、ｘ座標Ｄｘがｘ座標Ｐ１ｘ以上であると判断される場合（Ｓ２１：ＮＯ）には、Ｓ２５へ進む。
【００３３】
Ｓ２５において、ＣＰＵ１４は、押下点のｘ座標Ｄｘが第２点Ｐ２のｘ座標Ｐ２ｘよりも大きいか否かを判断する。ｘ座標Ｄｘがｘ座標Ｐ２ｘ以下であると判断される場合（Ｓ２５：ＮＯ）には、Ｓ３１へ進む。一方、ｘ座標Ｄｘがｘ座標Ｐ２ｘよりも大きいと判断される場合（Ｓ２５：ＹＥＳ）には、押下点が余白領域内に位置する場合であると判断され、Ｓ２７へ進む。Ｓ２７において、ＣＰＵ１４は、ｘ座標Ｄｘ＝ｘ座標Ｐ２ｘとする処理を行う。これにより、押下点のｘ座標Ｄｘを画像表示領域８１内の座標に変換する変換処理が行われる。そしてＳ３１へ進む。
【００３４】
Ｓ３１においてＣＰＵ１４は、押下点のｙ座標Ｄｙが、第１点Ｐ１のｙ座標Ｐ１ｙよりも小さいか否かを判断する。ｙ座標Ｄｙがｙ座標Ｐ１ｙよりも小さいと判断される場合（Ｓ３１：ＹＥＳ）には、押下点が余白領域１３内に位置する場合であると判断され、Ｓ３３へ進む。Ｓ３３において、ＣＰＵ１４は、ｙ座標Ｄｙ＝ｙ座標Ｐ１ｙとする処理を行う。これにより、押下点のｙ座標Ｄｙを画像表示領域８１内の座標に変換する変換処理が行われる。そしてＳ４１へ進む。一方、ｙ座標Ｄｙがｙ座標Ｐ１ｙ以上であると判断される場合（Ｓ３１：ＮＯ）には、Ｓ３５へ進む。
【００３５】
Ｓ３５においてＣＰＵ１４は、押下点のｙ座標Ｄｙが、第２点Ｐ２のｙ座標Ｐ２ｙよりも大きいか否かを判断する。ｙ座標Ｄｙがｙ座標Ｐ２ｙ以下であると判断される場合（Ｓ３５：ＮＯ）には、Ｓ４１へ進む。一方、ｙ座標Ｄｙがｙ座標Ｐ２ｙよりも大きいと判断される場合（Ｓ３５：ＹＥＳ）には、押下点が余白領域１３内に位置する場合であると判断され、Ｓ３７へ進む。Ｓ３７において、ＣＰＵ１４は、ｙ座標Ｄｙ＝ｙ座標Ｐ２ｙとする処理を行う。これにより、押下点のｙ座標Ｄｙを画像表示領域８１内の座標に変換する変換処理が行われる。そしてＳ４１へ進む。
【００３６】
このように、Ｓ２１ないしＳ３７によって変換処理が行われることにより、ボタン反応領域ＲＲの広さを、余白ボタン反応領域ＳＲＲ（図５、斜線部分）の分だけ実質的に拡大することができる。
【００３７】
Ｓ４１において、ＣＰＵ１４は、押下点が、何れかのボタンのボタン反応領域ＲＲの領域内であるか否かを判断する。当該判断は、ＮＶＲＡＭ４０に記憶されているボタンテーブル（不図示）を参照して得られたボタン反応領域の座標と、押下座標とを比較することで行われる。押下点がボタン反応領域内でなはいと判断される場合（Ｓ４１：ＮＯ）には、フローが終了される。一方、押下点がボタン反応領域内であると判断される場合（Ｓ４１：ＹＥＳ）には、Ｓ４３へ進む。
【００３８】
Ｓ４３において、ＣＰＵ１４は、ＮＶＲＡＭ４０に記憶されているボタンテーブルを参照する。そして、押下点によって指定されたボタン反応領域に割り振られている処理内容を選択する。
【００３９】
Ｓ４５において、ＣＰＵ１４は、ボタン押下処理を行う。ボタン押下処理では、ボタンテーブルから選択された処理内容が実行される。例えば、選択された処理内容が「メニュー表示」である場合には、ＬＣＤ７２の表示内容がメニューに切り替えられる。
【００４０】
図６のフローを、具体例で説明する。例として、余白ボタン反応領域ＳＲＲ内の押下点ＰＰ（Ｎ−１、１）（図５）がユーザによって押下された場合の動作を説明する。押下点ＰＰが押下されることに応じて（Ｓ１５：ＹＥＳ）、押下座標（Ｄｘ、Ｄｙ）＝（Ｎ−１、１）が取得される（Ｓ１７）。ｘ座標Ｄｘがｘ座標Ｐ２ｘ（＝Ｎ−２）以上であると判断され（Ｓ２５：ＹＥＳ）、ｘ座標Ｄｘ＝Ｎ−２、に変換される（Ｓ２７）。また、ｙ座標Ｄｙがｙ座標Ｐ１ｙ（＝２）よりも小さいと判断され（Ｓ３１：ＹＥＳ）、ｙ座標Ｄｙ＝２、に変換される（Ｓ３３）。これにより、余白領域１３内の押下点ＰＰが、画像表示領域８１内の変換後押下点ＣＰＰに変換される。そして、変換後押下点ＣＰＰが、ボタン反応領域ＲＲの領域内であると判断される（Ｓ４１：ＹＥＳ）と、ＮＶＲＡＭ４０に記憶されているボタンテーブルが参照され（Ｓ４３）、ボタン反応領域に対応する処理が行われる（Ｓ４５）。これにより、ボタン反応領域ＲＲを拡大ボタン反応領域ＥＲＲまで実質的に拡大することができる。
【００４１】
第１実施形態の説明例に係る表示パネル５０の効果を説明する。ＬＣＤ上側カバー７７の開口部８３によって、画像表示領域８１の周囲には、画像表示領域８１の表示面に対する段差が形成される。すると、開口部８３の近傍に表示されるボタン表示領域ＢＲをユーザが押下しようとする場合には、開口部８３によりボタン表示領域ＢＲが押下しにくくなり、ユーザの利便性を損ねていた。そこで本実施形態の表示パネル５０によれば、タッチパネル７５のタッチパネル反応領域８２の大きさよりも、ＬＣＤ７２の画像表示領域８１の大きさが小さくされることで、画像表示領域８１が存在せずタッチパネル反応領域８２が存在する、余白領域１３が形成される。また、押下点が、余白ボタン反応領域ＳＲＲ内に位置する場合には、押下座標をボタン反応領域ＲＲ内の座標に変換する変換処理が行われる。そして、変換処理後の押下点が存在するボタン反応領域に対応する処理が選択され、実行される。
【００４２】
これにより、図５に示すように、画像表示領域８１の端部に表示されるボタン表示領域ＢＲについては、ボタン反応領域ＲＲを拡大ボタン反応領域ＥＲＲまで実質的に拡大することができる。よって、開口部８３の近傍に表示されるボタン表示領域ＢＲを押下しやすくすることができ、ユーザの利便性を高めることができる。
【００４３】
第２実施形態について、図７を用いて説明する。第２実施形態は、画像表示領域８１の中央付近に表示されるボタンと、画像表示領域８１の端部に表示されるボタンとのボタンサイズを異ならせる形態である。中央付近に表示されるボタン表示領域ＢＲ２では、ボタン表示領域ＢＲ２の領域とボタン反応領域ＲＲ２とは重なるように存在し、両領域の広さは同等とされる。一方、端部に表示されるボタン表示領域ＢＲ２ａは、中央付近に表示されるボタン表示領域ＢＲ２よりも小さくされる。また、端部に存在する拡大ボタン反応領域ＥＲＲ２ａの広さは、中央付近に存在するボタン反応領域ＲＲ２と同等とされる。
【００４４】
これにより、画像表示領域８１の端部のボタンサイズを中央のボタンサイズよりも小さくしつつ、ボタン反応領域の大きさは端部と中央とで同等とすることができる。よって、端部に表示されるボタンの操作性を損なうことなく、端部のボタンを小さく表示できるため、画像表示領域８１に表示できるボタン数を増加させることができる。
【００４５】
第３実施形態について、図８を用いて説明する。第３実施形態は、画像表示領域８１の中央付近に存在するボタン反応領域と、画像表示領域８１の端部に存在するボタン反応領域とのサイズを異ならせる形態である。中央付近に表示されるボタン表示領域ＢＲ２では、ボタン表示領域ＢＲ２の領域とボタン反応領域ＲＲ２とは重なるように存在し、両領域の広さは同等とされる。一方、端部に表示されるボタン表示領域ＢＲ２ｂは、中央付近に表示されるボタン表示領域ＢＲ２と同等とされる。また、端部に存在する拡大ボタン反応領域ＥＲＲ２ｂの広さは、中央付近に存在するボタン反応領域ＲＲ２よりも大きくされる。
【００４６】
これにより、画像表示領域８１の端部のボタンサイズを中央のボタンサイズと小同等としつつ、ボタン反応領域の大きさは端部の大きさの方を中央の大きさよりも大きくすることができる。よって、端部に表示されるボタンの操作性を高めることができる。
【００４７】
第４実施形態について、図９を用いて説明する。第４実施形態は、余白領域への拡大ボタン反応領域の形成方法の第１の例である。画像表示領域８１のｘ方向の端部には、画像表示領域８１のｘ方向の外周部を含むように、ボタン表示領域ＢＲ３が表示される。ボタン表示領域ＢＲ３は、丸形の形状を有し、ボタン反応領域ＲＲ３を備えている。ボタン表示領域ＢＲ３では、画像表示領域８１の外周部を挟んでｘ方向に対向する余白領域１３に、余白ボタン反応領域ＳＲＲ３が存在する。これにより、ボタン表示領域ＢＲ３のｙ方向の最大幅ＷＹを、余白領域１３へ投影することができる。そしてＣＰＵ１４は、押下座標が余白ボタン反応領域ＳＲＲ３の領域内の座標であると判断すると、ボタン反応領域ＲＲ３に対応する処理を選択し実行する。
【００４８】
同様にして、ボタン表示領域ＢＲ４では、ボタン表示領域ＢＲ４のｘ方向の最大幅ＷＸを余白領域１３へ投影することで、余白ボタン反応領域ＳＲＲ４が定義される。そしてＣＰＵ１４は、押下座標が余白ボタン反応領域ＳＲＲ４の領域内の座標であると判断すると、ボタン反応領域ＲＲ４に対応する処理を選択し実行する。
【００４９】
これにより、丸型のボタン等の矩形形状以外のボタン表示領域についても、余白ボタン反応領域を余白領域１３に適切に確保することが可能となる。
【００５０】
第５実施形態について、図１０、図１１を用いて説明する。第５実施形態は、余白領域への拡大ボタン反応領域の形成方法の第２の例である。図１０に示すように、画像表示領域８１のｘ方向の端部には、画像表示領域８１のｘ方向の外周部を含むように、ボタン表示領域ＢＲ５が表示される。ボタン表示領域ＢＲ５は、平行四辺形の形状を有し、ボタン反応領域ＲＲ５を備えている。余白領域１３のうち、画像表示領域８１の外周部を挟んでボタン表示領域ＢＲ５のｘ方向に対向する位置に、余白ボタン反応領域ＳＲＲ５が存在する。余白ボタン反応領域ＳＲＲ５は、ボタン表示領域ＢＲ５に含まれている画像表示領域８１の外周部（すなわち、ボタン表示領域ＢＲ５の右辺部分）を、余白領域１３に投影することで定義される。そしてＣＰＵ１４は、押下座標が余白ボタン反応領域ＳＲＲ５の領域内の座標であると判断すると、ボタン反応領域ＲＲ５に対応する処理を選択し実行する。同様にして、ボタン表示領域ＢＲ６では、ボタン表示領域ＢＲ６の上辺部分を余白領域１３へ投影することで、余白ボタン反応領域ＳＲＲ６が定義される。そしてＣＰＵ１４は、押下座標が余白ボタン反応領域ＳＲＲ６の領域内の座標であると判断すると、ボタン反応領域ＲＲ６に対応する処理を選択し実行する。
【００５１】
また、図１１に示すように、画像表示領域８１のｘ方向の端部には、画像表示領域８１のｘ方向の外周部を含むように、ボタン表示領域ＢＲ７が表示される。ボタン表示領域ＢＲ７は、平行四辺形の形状を有し、ボタン反応領域ＲＲ７を備えている。ボタン反応領域ＲＲ７では、ボタン表示領域ＢＲ７を形成する辺のうちのｘ方向に伸びる辺（すなわち、上辺および下辺）を余白領域１３へはみ出るように伸ばすことで、余白領域に余白ボタン反応領域ＳＲＲ７が定義される。そしてＣＰＵ１４は、押下座標が余白ボタン反応領域ＳＲＲ７の領域内の座標であると判断すると、ボタン反応領域ＲＲ７に対応する処理を選択し実行する。
【００５２】
同様にして、ボタン表示領域ＢＲ８では、ボタン表示領域ＢＲ８を形成する辺のうちのｙ方向に伸びる辺（すなわち、右辺および左辺）を余白領域１３へはみ出るように伸ばすことで、余白領域に余白ボタン反応領域ＳＲＲ８が定義される。そしてＣＰＵ１４は、押下座標が余白ボタン反応領域ＳＲＲ８の領域内の座標であると判断すると、ボタン反応領域ＲＲ８に対応する処理を選択し実行する。
【００５３】
これにより、ボタン表示領域を形成する辺が伸張する方向に沿って、ボタン表示領域を余白領域１３へ投影することができる。よって、平行四辺形形状のボタン等の矩形形状以外のボタン表示領域についても、ボタン反応領域を画像表示領域８１の外まで適切に確保することが可能となる。
【００５４】
第６実施形態について、図１２を用いて説明する。第６実施形態は、余白領域１３への拡大ボタン反応領域の形成方法の第３の例である。図１２に示すように、画像表示領域８１のｘ方向の端部には、画像表示領域８１のｘ方向の外周部を含むように、ボタン表示領域ＢＲ８が表示される。ここで、ボタン表示領域ＢＲ８の第１点ＢＰ１ａの座標を、（Ｂ１ｘ、Ｂ１ｙ）と定義する。第１点ＢＰ１ａのｙ座標Ｂ１ｙは、ｙ方向の上方側最大値である。また、ボタン表示領域ＢＲ８は、ボタン反応領域ＲＲ８を備える。
【００５５】
そして、余白領域１３のうち、画像表示領域８１の外周部を挟んでボタン表示領域ＢＲ８のｘ方向に対向する位置に、余白ボタン反応領域ＳＲＲ８が存在する。このとき、余白ボタン反応領域ＳＲＲ８は、第１点ＢＰ１ａのｙ座標Ｂ１ｙ（ｙ方向の上方側最大値）を、ｙ方向の上方側へ超えるように定義される。
【００５６】
ユーザがボタン表示領域を押下する際には、指の向きが画像表示領域８１に対してｙ方向上方を向いているため、ｙ方向上方への力が生じ、ボタン表示領域のｙ方向上方領域が押下される場合がある。しかし、第６実施形態では、画像表示領域８１のｘ方向の端部近傍に位置するボタン表示領域の余白ボタン反応領域が、斜め上方に伸ばすように定義される。よって、余白ボタン反応領域をｙ方向上方側に拡大することにより、ボタン表示領域をより押下しやすくすることができ、ユーザの利便性を高めることが可能となる。
【００５７】
第７実施形態について、図１３を用いて説明する。第７実施形態は、余白領域１３への拡大ボタン反応領域の形成方法の第４の例である。図１３に示すように、画像表示領域８１のｙ方向の端部には、画像表示領域８１のｙ方向の外周部を含むように、ボタン表示領域ＢＲ９およびＢＲ１０が隣接して表示される。ボタン表示領域ＢＲ９およびＢＲ１０は、矩形形状を有し、ボタン反応領域ＲＲ９およびＲＲ１０を備えている。また、余白領域１３のうち、画像表示領域８１の外周部を挟んでボタン表示領域ＢＲ９およびＢＲ１０のｙ方向に対向する位置に、余白ボタン反応領域ＳＲＲ９およびＳＲＲ１０が存在する。このとき、余白ボタン反応領域ＳＲＲ９およびＳＲＲ１０は、画像表示領域８１から遠ざかるにつれて余白ボタン反応領域のｙ方向の幅が小さくなる形状とされる。
【００５８】
これにより、余白ボタン反応領域をすぼめながら伸ばすように形成することができるため、隣接する余白ボタン反応領域ＳＲＲ９およびＳＲＲ１０が互いに干渉することを防止できる。よって、ボタン表示領域ＢＲ９およびＢＲ１０が近接している場合においても、誤って隣接するボタン表示領域を押下してしまう事態を防止することができるため、ユーザの利便性を高めることが可能となる。
【００５９】
第８実施形態について、図１５を用いて説明する。第８実施形態は、余白ボタン反応領域の形成方法の例である。図１５に示す画像表示領域８１ａおよびタッチパネル反応領域８２ａでは、余白領域１３ａのｙ方向の余白幅ＳＹに対して、ｘ方向の余白幅ＳＸが大きくされる。ここで、余白ボタン反応領域を定義する際のｘ方向の幅を形成幅ＲＸ、ｙ方向の幅を形成幅ＲＹと定義する。そして第８実施形態では、形成幅ＲＸと形成幅ＲＹとが同程度とされる。これにより、画像表示領域８１ａのｙ方向の端部に表示されるボタン表示領域ＢＲ１２と、ｘ方向の端部に表示されるボタン表示領域ＢＲ１３とで、ボタン反応領域の広さを同程度に揃えることができる。よって、ユーザは画像表示領域８１ａの端部に表示されるボタンを全て同様に扱うことができるため、ユーザの利便性を高めることが可能となる。
【００６０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００６１】
図１４に示すように、ボタン表示領域ＢＲ１１のボタン反応領域を拡大する際に、余白領域１３側へ広げるのみならず、画像表示領域８１側へ広げることで、拡大ボタン反応領域ＥＲＲ１１を定義するとしてもよい。なおこの場合、ボタン表示領域ＢＲ１１の近傍に、他のボタンが存在していないことが必要である。これによっても、ボタン表示領域をより押下しやすくすることができ、ユーザの利便性を高めることが可能となる。
【００６２】
なお、Ｓ２３において、ＣＰＵ１４は、ｘ座標Ｄｘ＝ｘ座標Ｐ１ｘとする処理を行うとしたが、この形態に限られない。押下点のｘ座標Ｄｘが、第１点Ｐ１のｘ座標Ｐ１ｘより値ｋ（ｋは任意の値）だけ小さい場合には、ｘ座標Ｄｘ＝ｘ座標Ｐ１ｘ＋値ｋ、とする処理を行っても良い。また同様に、Ｓ２７において、押下点のｘ座標Ｄｘが、第２点Ｐ２のｘ座標Ｐ２ｘより値ｋだけ大きい場合には、ｘ座標Ｄｘ＝ｘ座標Ｐ２ｘ−値ｋ、とする処理を行っても良い。また同様に、Ｓ３３において、押下点のｙ座標Ｄｙが、第１点Ｐ１のｙ座標Ｐ１ｙより値ｋだけ小さい場合には、ｙ座標Ｄｙ＝ｙ座標Ｐ１ｙ＋値ｋ、とする処理を行っても良い。また同様に、Ｓ３７において、押下点のｙ座標Ｄｙが、第２点Ｐ２のｙ座標Ｐ２ｙより値ｋだけ大きい場合には、ｙ座標Ｄｙ＝ｙ座標Ｐ２ｙ−値ｋ、とする処理を行っても良い。
【００６３】
なお、ＬＣＤ７２は画像表示部の一例、ＬＣＤ上側カバー７７はカバー体の一例、ｘ方向は水平方向の一例、ｙ方向は垂直方向の一例、Ｐ１ｘ座標Ｐ１ｘは水平方向最小値の一例、Ｐ１ｙ座標Ｐ１ｙは垂直方向最小値の一例、Ｐ２ｘ座標Ｐ２ｘは水平方向最大値の一例、Ｐ２ｙ座標Ｐ２ｙは垂直方向最大値の一例、である。
【００６４】
また、Ｓ１７を実行する制御部は座標取得手段の一例である。Ｓ４５を実行する制御部は第１処理実行手段の一例である。Ｓ２３、Ｓ２７、Ｓ３３、Ｓ３７、Ｓ４１を実行する制御部は処理選択手段の一例である。Ｓ４５を実行する制御部は第２処理実行手段の一例である。Ｓ２１ないしＳ３７を実行する制御部は変換手段の一例である。
【符号の説明】
【００６５】
１４  ＣＰＵ
５０  表示パネル
７２  ＬＣＤ
７５  タッチパネル
７７  ＬＣＤ上側カバー
８１  画像表示領域
８２  タッチパネル反応領域
ＢＲないしＢＲ１３  ボタン表示領域
ＲＲないしＲＲ１１  ボタン反応領域
ＳＲＲないしＳＲＲ１０  余白ボタン反応領域
【図１】
2011070544.tif 000003
【図２】
2011070544.tif 000004
【図３】
2011070544.tif 000005
【図４】
2011070544.tif 000006
【図５】
2011070544.tif 000007
【図６】
2011070544.tif 000008
【図７】
2011070544.tif 000009
【図８】
2011070544.tif 000010
【図９】
2011070544.tif 000011
【図１０】
2011070544.tif 000012
【図１１】
2011070544.tif 000013
【図１２】
2011070544.tif 000014
【図１３】
2011070544.tif 000015
【図１４】
2011070544.tif 000016
【図１５】
2011070544.tif 000017